(57)【特許請求の範囲】
【請求項１】
扉の両側に扉と本体の係合・離脱を行うカム機構をそれぞれ設け、前記カム機構はそれぞれ扉の両側で対称な第１係止位置と第２係止位置とをとることができ、扉の閉止状態で両側の前記カム機構は第１係止位置をとり、扉の一方を開放する際に扉が扉開放側へスライド移動して他方のカム機構が第２係止位置をとるとともに第２係止位置で回転自在にロックされる扉開閉機構において、
扉に回動可能に取り付けられたハンドルと、前記ハンドルに取り付けられるとともに前記ハンドルの回動軸となるシャフトと、前記シャフトに取り付けられるとともに前記ハンドルの回動に伴って本体を押圧するアームとから成るてこ式手段を扉の両側にそれぞれ設け、
前記ハンドルの操作によって前記アームが本体を押圧することにより、扉がスライド移動して本体と所定間隔離隔されるとともに他方のカム機構が第２係止位置をとることを特徴とする扉開閉機構。
【請求項２】
前記カム機構は扉に設けられたスライド外カムと本体に設けられたロック外カムとの係合により第２係止位置でロックされ、前記てこ式手段の支点となる前記シャフトが力点となる前記ハンドルよりも扉の中央側に配され、作用点となる前記アームが前記シャフトよりも扉の中央側に配され、前記アームは扉のスライド方向と反対方向に前記ロック外カムを押圧することを特徴とする請求項１に記載の扉開閉機構。
【請求項３】
前記アームが前記ロック外カムを押圧開始した際に、前記アームは前記ロック外カムとの当接面が扉中央へ行くほど前方となるように傾斜していることを特徴とする請求項２に記載の扉開閉機構。
【請求項４】
前記アームが前記ロック外カムを押圧開始した際に、前記てこ式手段の支点が前記ロック外カムの前端よりも後方に配されることを特徴とする請求項２または請求項３に記載の扉開閉機構。
【発明の詳細な説明】
【技術分野】
【０００１】
本発明は冷蔵庫等の扉開閉機構に関するものである。
【背景技術】
【０００２】
従来この種の扉開閉機構は、例えば特開平９−３０３９４２号公報に示されるように、扉の左側と右側に関して扉と本体の係合・離脱を行なうカム機構をそれぞれ設け、これらのカム機構は扉の左右で対称な第１係止位置と同じく扉の左右で対称な第２係止位置をとることができるようになっていて扉の閉止状態では左右のカム機構とも第１係止位置をとり、扉の左右の一方を開けるとき扉がスライドして他方のカム機構は第２係止位置をとり、該第２係止位置で回転自在にロックされるようにしたものがある。
【特許文献１】特開平９−３０３９４２号公報
【発明の開示】
【発明が解決しようとする課題】
【０００３】
前記のような扉開閉機構では、扉の一方を開放のとき、扉開放側へ扉は所定の距離だけ移動するため、扉移動のとき、扉と扉を支える部分等の接触する本体側とで摩擦による開放抵抗が生じやすく、通常のヒンジ式扉に比べ扉を開くときの荷重が大きいという課題があり、また、扉を開く方向と扉の移動方向が大きく異なり、扉が確実には移動しにくく開放動作にむらがあり、開放操作がしづらいという課題もあった。さらに、扉と本体側の開口部前面との間に着磁力にて密閉するパッキンが設けられている場合は、扉の開く瞬間における移動のための摩擦による前記開放抵抗が、パッキンの密着によりさらに大きく、扉を開くときの荷重がさらに大きいという課題があった。
【課題を解決するための手段】
【０００４】
本発明の扉開閉機構は上記のような課題を解決したもので、扉の両側に扉と本体の係合・離脱を行うカム機構をそれぞれ設け、前記カム機構はそれぞれ扉の両側で対称な第１係止位置と第２係止位置とをとることができ、扉の閉止状態で両側の前記カム機構は第１係止位置をとり、扉の一方を開放する際に扉が扉開放側へスライド移動して他方のカム機構が第２係止位置をとるとともに第２係止位置で回転自在にロックされる扉開閉機構において、
扉に回動可能に取り付けられたハンドルと、前記ハンドルに取り付けられるとともに前記ハンドルの回動軸となるシャフトと、前記シャフトに取り付けられるとともに前記ハンドルの回動に伴って本体を押圧するアームとから成るてこ式手段を扉の両側にそれぞれ設け、
前記ハンドルの操作によって前記アームが本体を押圧することにより、扉がスライド移動して本体と所定間隔離隔されるとともに他方のカム機構が第２係止位置をとることを特徴とするものである。
【０００６】
そして、本発明の扉開閉機構は、前記カム機構は扉に設けられたスライド外カムと本体に設けられたロック外カムとの係合により第２係止位置でロックされ、前記てこ式手段の支点となる前記シャフトが力点となる前記ハンドルよりも扉の中央側に配され、作用点となる前記アームが前記シャフトよりも扉の中央側に配され、前記アームは扉のスライド方向と反対方向に前記ロック外カムを押圧することを特徴とするものである。
【０００７】
そしてまた、本発明の扉開閉機構は、前記アームが前記ロック外カムを押圧開始した際に、前記アームは前記ロック外カムとの当接面が扉中央へ行くほど前方となるように傾斜していることを特徴とするものである。
【０００８】
さらに、本発明の扉開閉機構は、前記アームが前記ロック外カムを押圧開始した際に、前記てこ式手段の支点が前記ロック外カムの前端よりも後方に配されることを特徴とするものである。
【発明の効果】
【０００９】
本発明の扉開閉機構は前記のような構成であるから、てこ式手段にて扉を移動させるため、カム機構による扉の開閉動作時の扉移動での開放抵抗を、てこ式手段にて和らげ、扉開放力の低減ができ、扉が確実に移動するようになり、扉開放操作の良好な扉開閉機構が得られる。
【００１０】
また、てこ式手段にて扉を移動させるため、スライド外カムとロック外カムをもつカム機構による扉の開閉動作時の扉移動での開放抵抗を、てこ式手段にて和らげ、扉開放力の低減ができ、扉が確実に移動するようになり、扉開放操作の良好な扉開閉機構が得られる。
【００１１】
そして、強度を必要とするロック外カムの前方を、てこの作用点とするため押しやすく、また、余分に他の部分を補強する必要もなく、構造が簡素化され安価となり、さらに、扉移動での開放抵抗のかかる一方の側に近いため、確実に、てこによる移動動作力が開放抵抗のかかる部分付近に伝わり、安定した開放動作となる扉開閉機構が得られる。
【００１２】
そしてまた、てこ式手段の作用点となるアームが扉のスライド方向と反対方向にロック外カムを押圧し、扉を第２係止位置へ移動させるように働くため、扉開放時の扉の移動が更に容易で扉が確実に移動するようになり、扉開放操作の良好な扉開閉機構が得られる。
【００１３】
さらに、アームがロック外カムを押圧開始した際に、アームはロック外カムとの当接面が扉中央へ行くほど前方となるように傾斜しているので、アームによる移動動作力の一部の分力が扉を第２係止位置へ移動させるように働く。このため、扉開放時の扉の移動が更に容易で扉が確実に移動するようになり、扉開放操作の良好な扉開閉機構が得られる。
【００１４】
さらにまた、アームがロック外カムを押圧開始した際に、てこ式手段の支点がロック外カムの前端よりも後方に配されるので、扉開放時の扉の移動が更に容易で扉が確実に移動するようになり、扉開放操作の良好な扉開閉機構が得られる。
【発明を実施するための最良の形態】
【００１５】
以下、本発明の扉開閉機構の実施の形態を図面とともに説明する。
【００１６】
図１は本発明の扉開閉機構を備えた冷蔵庫の正面図、図２は図１のてこ式手段によるハンドル付近の拡大図、図３は図２のハンドルサポートおよびハンドルベースを下方から見た図、図４は図１のＡ−Ａ線断面図、図５は図１のＢ−Ｂ線断面図、図６は本発明の扉開閉機構で扉の下側にあるヒンジアングルを示す図、図７は本発明の扉開閉機構で扉の上側にあるロックカムを示す図、図８は本発明の扉開閉機構で扉の上側にあるスライドカムを示す図、図９は本発明の扉開閉機構のスライドカム付近で扉の下側の一部を示す部分拡大図、図１０は本発明の扉開閉機構の動作を示す図、図１１は本発明の扉開閉機構の動作を示す図、図１２は他の実施例を示す図で、図１のＢ−Ｂ線断面図に相当する図である。
【００１７】
図１において、１は冷蔵庫本体、２は冷蔵室扉、３は野菜室扉、４は冷凍室扉、５は冷凍室扉で、前記冷蔵庫本体１は前記各々の扉に対応して前面に開口部を有する隔離室をもっている。また、前記冷蔵室扉２は左右両開きの扉で、右と左に各々てこ式のハンドル６、７をもっている。
【００１８】
そして、冷蔵室扉２は左右両端が後方に折り曲げられたドアプレート８の上下端に各々ドアキャップ上９とドアキャップ下１０が差し込まれ箱体１１とし、前記ハンドル６、７が取り付けられる部分には、前記ドアプレート８を切り欠き各々開口部８ａ、８ｂが設けられている。そして、前記開口部８ａ、８ｂには各々ハンドルサポート１２、１３が裏からあてがわれ、前記ハンドルサポート１２、１３には、前記開口部８ａ、８ｂを左右の側面斜め前方から通して、差し込むようにハンドルベース１４、１５が各々取り付けられている。
【００１９】
なお、ハンドルベース１４、１５はハンドルサポート１２、１３の外側にありドアプレート８を挟んで扉の内側からビス止めにて取り付けられている。そして、各部の取付け部で隙間が生じる箇所は、前記冷蔵室扉２の中側となる部分に、シール材（図示せず）にてシール処理が施され、冷蔵室扉小組品１６となる。また、本図においては、前記ハンドルサポート１２、１３は外部から見えないため、その外形線は描いておらず、それらの概略位置を示すため、引き出し線を点線で描いている。
【００２０】
そして、前記冷蔵室扉小組品１６は発泡治具に入れられ、冷蔵室扉小組品１６の後方開口部（図示せず）から発泡ウレタン原料を注入し、前記後方開口部を覆うように背面板（図示せず）が前記冷蔵室扉小組品１６に取り付けられ、前記発泡治具の蓋をしウレタン発泡させ発泡が完了した後に発泡治具から取り出され、内部に発泡したウレタンフォームの断熱材をもつ冷蔵室扉中組品１７ができあがる。なお、野菜室扉３、冷凍室扉４、５はそれぞれ引き出し式の扉であり、前後方向で引き出し可能となっている。
【００２１】
図２において、本図は扉の右側のハンドル７付近の図で、内部構造がわかるように、部分的に断面図にしてある。また、扉の左側のハンドル６付近は本図を左右方向で反転したものとなる。そして、ハンドルサポート１３の前方にあるハンドルベース１５の下方には、略円形部１５ａから前記略円形部１５ａの直径より巾の狭い略長方形の切り込みが続いた鍵穴状の穴１５ｂが設けられている。
【００２２】
ハンドルサポート１３には前記穴１５ｂにつながる略小判穴状の空洞部１３ａが設けられ、前記空洞部１３ａはドアキャップ下１０まで続いていて、前記ドアキャップ下１０にも同様の略略小判穴１０ａがあいており、前記穴１５ｂ、空洞部１３ａ、略小判穴１０ａは互いに通じた空間１８となっている。
【００２３】
なお、前記空洞部１３ａと前記ドアキャップ下１０の略小判穴１０ａの嵌合部は、前記発泡ウレタン原料が前記箱体１１に注入され発泡したとき、その嵌合部から空間１８内にウレタンもれのないような嵌合となっており、場合によっては、その部にシール処理を施す。
【００２４】
また、下シャフト１９はハンドル下２０の開口部に差し込まれ、前記下シャフト１９の上方のＬ状曲げ部１９ａは、前記ハンドル下２０の保持部２０ａに保持されている。そして、下シャフト１９とハンドル下２０とが一体となった組品は、前記ハンドルベース１５の穴１５ｂの略円形部１５ａに差し込まれ、前記ハンドル下２０の下方に突き出した略円形ボス２０ｂが、前記ハンドルベース１５の穴１５ｂの略円形部１５ａに嵌合し、ハンドル下２０は下シャフト１９とともに、ハンドルベース１５に回動自在に取り付けられることになる。
【００２５】
なお、前記空間１８には下シャフト１９が挿入され、前記下シャフト１９の下方のＬ状曲げ部１９ｂはドアキャップ下１０内の表面に突き出している。そのため、前記空間１８は前記Ｌ状曲げ部１９ｂを通す形状となっている。そして、前記下シャフト１９の下方のＬ状曲げ部１９ｂには、下方からアームの働きをするカムレバー２１が、スライドカム部となるスライドカム２２に組み込まれた状態で取り付けられる。
【００２６】
また、前記下シャフト１９に各々Ｌ状曲げ部１９ａ、１９ｂを設けているため、下シャフト１９と前記ハンドル下２０やカムレバー２１との結合に、回り止めのためのキーやキー溝等を設けることもなく、扉のハンドルの構造が簡略化され、部品点数も少なく、組み立ても容易となっている。
【００２７】
そして、前記空間１８を設けることにより、内部に発泡した断熱材をもつ扉であっても、前記Ｌ状曲げ部１９ｂが下シャフト１９と一体にドアキャップ下１０内の表面に突き出すことができ、これもまた、扉のハンドルの構造が簡略化され、部品点数も少なく、組み立ても容易となっている。なお、前記は片開きの扉構造であっても同様の効果が得られることは明白である。
【００２８】
また、前記カムレバー２１がＬ状曲げ部１９ｂに取り付けられた状態で、前記下シャフト１９のてこの支点となる回動軸中心１９ｃの下方への延長線上を中心として、前記カムレバー２１の下面には円形ボス２１ａが設けられている。そして、前記円形ボス２１ａはスライドカム２２の穴２２ａに回動自在に嵌合している。なお、スライドカム２２はドアキャップ下１０を挟んで補強板２３にビス止めされている。
【００２９】
そして、前記ハンドルベース１５に回動自在に取り付けられた前記ハンドル下２０の扉外側（本図の右側）からハンドル７を差し込んで、前記ハンドル下２０にハンドル７は爪嵌合で取り付けられる。なお、前記ハンドル７とハンドル下２０をビス止めにて固定してもよい。
【００３０】
また、前記下シャフト１９の回動軸中心１９ｃの上方への延長線上を中心として設けられた、ハンドル７の上方の貫通穴７ａ、および、前記貫通穴７ａに対向したハンドルベース１５の貫通穴１５ｃ、および、前記ハンドルベース１５の突起に設けられた略円形穴１５ｄに、下方から上シャフト２４が差し込まれ、前記ハンドル７は回動自在にハンドルベース１５に取り付けられる。
【００３１】
なお、前記上シャフト２４を回転させて、上シャフト２４の下方に設けたＬ状曲げ部２４ａが、前記ハンドルベース１５の突起部１５ｅにかけられ、上シャフト２４の抜け止めとなっている。
【００３２】
また、前記下シャフト１９の回動軸中心１９ｃの延長上近くに設けられた、ハンドル７の下方上面の円形ボス７ｂに、バネ２５がその一端のバネ端２５ａはハンドルベース１５を後方へ押すようにはめられ、残りの一端のバネ他端２５ｂはハンドル７の下方上面の係り部７ｃに前方へ押すようにかけられる。そのため、前記ハンドル７の握り部７ｄを持って手前に引き冷蔵室扉２を開放した後、手を前記握り部７ｄから離すと前記ハンドル７はバネ２５の反力でもとの位置にもどるようになっている。
【００３３】
そして、前記上シャフト２４のＬ状曲げ部２４ａ、突起部１５ｅ、円形ボス７ｂ、係り部７ｃ、バネ２５を覆うように、ベースカバー２６がハンドルベース１５に爪嵌合で取り付けられ、また、ハンドル７の前面にはハンドルカバー２７が爪嵌合で取り付けられる。
【００３４】
なお、前記ベースカバー２６がハンドルベース１５に取り付けられることにより、前記ベースカバー２６の裏面と突起部１５ｅとハンドルベース１５の表面とでＬ状曲げ部２４ａは囲まれるようになり、前記ハンドルベース１５の突起部１５ｅにかけられたＬ状曲げ部２４ａが回動しても、前記Ｌ状曲げ部２４ａが突起部１５ｅからはずれて、上シャフト２４が前記貫通穴７ａ、１５ｃおよび略円形穴１５ｄから抜け落ちることはなくなる。
【００３５】
また、前記突起部１５ｅの前端に上方へのびる壁面を、その上部に前記Ｌ状曲げ部２４ａが通るだけの空間を持って設けると、ベースカバー２６の取付け前の仮の抜け止めの役目をし、さらに、組立作業性が向上する。また、前記ハンドル関連の部品全てが冷蔵室扉２に組み込まれた後、ウレタン発泡にて扉の断熱材を設けてもよい。
【００３６】
なお、前記は片開きの扉構造であっても同様の効果が得られることは明白である。
【００３７】
図３において、（ａ）は扉の右側のハンドルサポート１３を下方から見た図で、空洞部１３ａは略小判穴状の穴となっている。また、（ｂ）は扉の右側のハンドルベース１５を下方から見た図で、鍵穴状の穴１５ｂは略円形部１５ａをもっている。また、前記ハンドルサポート１３およびハンドルベース１５の形状を左右方向で反転すると各々扉の左側のハンドルサポート１２およびハンドルベース１４の形状となる。
【００３８】
そして、前記空洞部１３ａ、穴１５ｂは下シャフト１９のＬ状曲げ部１９ｂが通るようになっており、また、前記鍵穴状の穴１５ｂの略円形部１５ａには、前記ハンドル下２０の略円形ボス２０ｂが回動自在に嵌合する。そして、略円形部１５ａの円形中心は前記下シャフト１９の回動軸中心１９ｃと一致している。
【００３９】
図４において、本図は図１における冷蔵室扉２右側の扉閉止状態でのハンドル７付近のＡ−Ａ線断面図で、左側のハンドル６付近における相当断面図は、本図を左右方向で反転したものとなる。
【００４０】
そして、ドアプレート８の後方折り曲げ部８ｃには背面板２８が取り付けられている。前記背面板２８の周縁部には溝２８ａが設けられ、パッキン２９の取付け部２９ａは前記溝２８ａに差し込まれて背面板２８に取り付けられている。また、パッキン２９には弾力性のある磁性体２９ｂが内部に設けられており、扉閉止時には冷蔵庫本体１のカラー鋼板製キャビネット３０等の本体開口部前面３１に、前記パッキン２９が密着して外気を遮断しかつ断熱している。なお、２ａは冷蔵室扉２で一体に発泡された発泡ウレタンの断熱材である。
【００４１】
そして、扉閉止状態から扉の右側を開放する時には、ハンドル７の握り部７ｄを握り手前に引くと、前記ハンドル７は回動軸中心１９ｃを中心に右回り方向に回転し、ハンドル７下に取り付けられた図２に示したハンドル下２０やハンドル下２０の保持部２０ａに保持された下シャフト１９の上方のＬ状曲げ部１９ａも同時に回動軸中心１９ｃを中心に右回りに回転する。
【００４２】
さらに、前記下シャフト１９の右回り方向の回転により図２に示したカムレバー２１も回動軸中心１９ｃを中心に右回りに回転し、前記本体開口部前面３１側にある後述するロック外カム３２を押し、前記ハンドル７の当たり部７ｅがハンドルベース１５の当たり受け部１５ｃに当たるまで、冷蔵室扉２の右側は本体開口部前面３１から所定間隔離され開放される。
【００４３】
このとき、磁性体２９ｂの磁力で密着している扉の主に右方向の前記パッキン２９が、本体開口部前面３１から少し離れるだけで、左右方向の移動もしやすくなり、扉が回転自在にロックされる後述する第２係止位置への移動も容易となる。また、前記パッキン２９が本体開口部前面３１から少し離れるだけで、外気が庫内に入りやすくなり、この後の扉開放には前記所定間隔扉を開くよりも少ない力でよいことになる。
【００４４】
その後、さらにハンドル７を手前に引くと、ハンドル７の当たり部７ｅが当たり受け部１５ｃに当たったままの状態で、冷蔵室扉２の右側はさらに開放されることになる。
【００４５】
なお、前記握り部７ｄを手から離すと、ハンドル７の下方上面の円形ボス７ｂにはめられたバネ２５の反力で前記ハンドル７はハンドルベース１５に対しもとの位置関係（本図の示す位置関係）にもどる。そのために、前記バネ２５の一端２５ａはハンドルベース１５を後方に押すように、他端２５ｂはハンドル７の下方上面の係り部７ｃを前方に押すようにかけられている。
【００４６】
また、前記ハンドル７がハンドルベース１５に対しもとの位置関係にもどるとき、前記ハンドル７がハンドルベース１５に当たり、打撃音が発生するが、その打撃音をやわらげるため、クッション材７ｆを前記ハンドル７またはハンドルベース１５の少なくともどちらか一方の当たり部に設けるとよい。
【００４７】
そして、ハンドルベース１５側となる前記バネ２５の一端２５ａ付近は前方へソリのように折り曲げられており、前記円形ボス７ｂにバネ２５がはめられた状態で、ハンドルベース１５の壁面にひっかからずに、前記ハンドル下２０へ扉の右側からハンドル７を差し込めるようになっている。また、ベースカバー２６は爪嵌合でハンドルベース１５に取り付けられている。
【００４８】
なお、前記冷蔵室扉２の断熱材２ａの断熱性が低く、ハンドルサポート１３やハンドルベース１５の表面に結露が生じるときは、扉前方でハンドルサポート１３近くのドアプレート８で断熱材２ａ側（内側）から、前記ハンドルサポート１３の断熱材２ａ側にかけて、熱伝導材（例えばアルミ箔）を張り付け、結露防止策としてもよい。
【００４９】
また、そのため、ハンドルサポート１３やハンドルベース１５の前方部でドアプレート８付近からの立ち上がり部付近を、前記ドアプレート８付近に対し略垂直または左側に行くほど後方の位置となるような面にしておくと、さらに、熱伝導材の張り付けが容易となる。
【００５０】
図５において、本図は図１における冷蔵室扉２右側の扉閉止状態でのドアキャップ下１０付近のＢ−Ｂ線断面図で、主にカムレバー２１付近を示している。なお、左側のドアキャップ下１０付近における相当断面図は、本図を左右方向で反転したものとなる。
【００５１】
そして、前記下シャフト１９の下方のＬ状曲げ部１９ｂへは、下方からスライドカム２２に組み込まれたカムレバー２１が、囲むように取り付けられている。また、前記回動軸中心１９ｃの延長上に設けられた前記カムレバー２１の下側にある円形ボス２１ａ（図２参照）は、スライドカム２２の穴２２ａ（図２参照）に回動自在に嵌合している。
【００５２】
また、図４に示した扉右側のハンドル７の握り部７ｄを握り手前に引くと、下シャフト１９が上方からみて右回り方向に回動軸中心１９ｃを中心に回転する。そのため、カムレバー２１も下シャフト１９同様右回り方向に回動軸中心１９ｃを中心に回転し、前記カムレバー２１のてこの作用点となるロック外カム３２との接触部で前記ロック外カム３２の前方を押し、図４に示した前記ハンドル７の当たり部７ｅがハンドルベース１５の当たり受け部１５ｃに当たるまで、冷蔵室扉２の右側は本体開口部前面３１から所定間隔離隔され開放される。
【００５３】
なお、ロック外カム３２の前方を押す前記カムレバー２１の押し面２１ｂは、前記ロック外カム３２の前方を押している間のほとんどを、冷蔵室扉２の中央側に行くほど前方の位置となるようになっているため、前記ロック外カム３２の前方を斜め右側（扉の側面側）前方から押すようになっており、その反力として冷蔵室扉２の右側を右側（扉の側面側）前方へ移動させるような力が働くことになる。
【００５４】
また、前記ロック外カム３２、カムレバー２１、下シャフト１９や図４のハンドル７での前記本体開口部前面３１からの所定間隔の扉開放は、てこの原理を利用したものであり、前記ハンドル７を手前に引いても、前記ロック外カム３２への力のかかる方向はある程度自由な方向に変えられ、扉移動方向と同様の方向へ力をかけることも可能となり、扉移動での開放抵抗を和らげることができる。
【００５５】
なお、このことは、前記ロック外カム３２へ力をかける場合のみでなく、他の冷蔵庫本体１の部分に力をかける場合でも同様の効果が得られる。
【００５６】
さらに、前記カムレバー２１の押し面２１ｂのロック外カム３２と接する部から前記回動軸中心１９ｃまでの距離は、図４の回動軸中心１９ｃからハンドル７の握り部７ｄの中央までの距離よりも短いため、前記握り部７ｄにかけた力は、てこの原理によりその各々の長さに反比例した値となり、前記握り部７ｄにかけた力より強い力でロック外カム３２を押すことになり、扉開放力の低減ができる。
【００５７】
また、てこの作用点のアームとなる前記カムレバー２１の位置が冷蔵室扉２の下方にあるため、前記冷蔵室扉２の重さで前記アーム部のカムレバー２１と相手側の位置が上下方向で押さえつけられ、前記アーム部と相手側（例えばロック外カム３２）の位置が上下方向で安定して保持され、確実に、てこによる移動動作力が開放抵抗のかかる部分に伝わり、さらに安定した開放動作となる扉開閉機構が得られる。
【００５８】
図６において、（ａ）〜（ｄ）は冷蔵室扉２の下方で冷蔵庫本体１の本体開口部前面３１にビス等で取り付けられるヒンジアングル３３の中央から右側を上方から見た図である。また、図６（ａ）はヒンジアングル３３の片側を示す平面図である。なお、ヒンジアングル３３の中央から左側は、図６（ａ）を左右方向で反転した形状となる。そして、図６（ｂ）〜（ｄ）は各々図６（ａ）のＡ−Ａ線断面図、Ｂ−Ｂ線断面図、Ｃ−Ｃ線断面図である。
【００５９】
また、冷蔵室扉２の下方は扉の重量等が付加されるため、補強の目的でロック外カム３２は金属製（例えばステンレス鋼板）のプレス品からなっている。また、金属製（例えば亜鉛メッキ鋼板：厚さ３．２ｍｍ）のアングル３３ａには金属製（例えばステンレス鋼棒材）のヒンジピン３４およびロック外カム３２がカシメ止めにて取り付けられている。
【００６０】
前記ヒンジピン３４は前記冷蔵室扉２の扉開閉時の回転軸となる。そして、インサート成形によりヒンジカバー３３ｂが形成され、後述する第２カム突起３５を含むロックカム部３６はヒンジアングル３３と一体に形成されている。また、３３ｃは当たり受け部であり、扉開放時にこの部で扉の開きを制限する。
【００６１】
なお、ヒンジアングル３３にある前記ヒンジピン３４の上面が、前記スライドカム２２の対応する面を支え、前記ヒンジピン３４周辺のその他の部分を浮かせていて、扉移動や扉開閉時の他の部分の摩擦やひっかかり防止の役目をしており、扉開放抵抗の多くもこのヒンジピン３４上面にかかることになる。
【００６２】
そして、扉開放時に強度のある前記ロック外カム３２の前方を図５に示すカムレバー２１が押すため、位置的にも押しやすく、他に余分な部材を設けるたりこれ以上補強したりする必要もなく、構造が簡素化され安価となり、さらに、扉移動での開放抵抗の主にかかる一方のヒンジピン３４に近いため、確実にてこによる移動動作力が開放抵抗のかかる部分付近に伝わり、安定した開放動作となる扉開閉機構が得られる。
【００６３】
図７において、（ａ）〜（ｄ）は冷蔵庫本体１の上面に設けられたヒンジアングル（図示せず）にビス等で取り付けられ、冷蔵室扉２の上方右側の後述するスライドカム４０に対応する、ロックカム部のロックカム３７を示す図である。また、図７（ａ）は前記ロックカム３７を示す上方から見た図であり、左側のロックカムは本図を左右方向で反転した形状となる。
【００６４】
そして、図７（ｂ）〜（ｄ）は各々図７（ａ）のＡ−Ａ線断面図、Ｂ−Ｂ線断面図、Ｃ−Ｃ線断面図である。前記ロックカム３７の一方の端部には、ヒンジピン３４が挿入される貫通穴３８が設けられている。また、前記貫通穴３８と同心に円弧状の第２カム突起３５が形成されている。
【００６５】
本構造においては、図２および図５のカムレバー２１は扉の下方のみにあり、扉開放の時に、前記カムレバー２１が扉の上方にある前記ロックカム３７のロック外カム３９を押す構造にはしていないため、強度的には樹脂材（例えばポリアセタール樹脂）で充分であるので、前記ロック外カム３２と対向した位置および類似の形状で、樹脂にてロックカム３７の前記貫通穴３８と異なる側の端部付近に、ロック外カム３９は一体に形成されている。なお、前記ロック外カム３９は、相手側のスライド外カム４３との係合領域を大きくするため、係合関係は同じで前記ロック外カム３２よりは長くしてある。
【００６６】
図８において、（ａ）、（ｂ）は図７のロックカム３７に対応する冷蔵室扉２の上方右側に位置するスライドカム部となるスライドカム４０を示し、その各々はスライドカム４０の平面図および正面断面図である。前記スライドカム４０には、第１係止位置からヒンジピン３４との係合を離脱する方向へ導く第１溝カム４１と、第１係止位置からヒンジピン３４が回転軸として機能する第２係止位置へと導く第２溝カム４２が設けられている。
【００６７】
また、前記スライドカム４０は、図７のロック外カム３９に係合するように配置されたスライド外カム４３と、図７の第２カム突起３５に第２係止位置で係合するように配置された第１カム突起４４をもっている。
【００６８】
図９において、（ａ）、（ｂ）は図２に示した冷蔵室扉２右側下方のスライドカム２２付近の図で、各々スライドカム２２付近の下方から見た図およびその断面図である。前記スライドカム２２もまた図８に示したスライドカム４０同様に第１溝カム４１、第２溝カム４２、スライド外カム４３、第１カム突起４４をもっている。また、スライドカム２２には図６のロック外カム３２をカムレバー２１が押すための開口部４５が設けられている。
【００６９】
なお、前記カムレバー２１の回動軸となる円形ボス２１ａは、スライドカム２２の穴２２ａに回動自在に嵌合している。また、４６は冷蔵室扉２を開放しきったときの開放止めとなるストッパーで当たり部４６ａを持っており、図６のヒンジアングル３３に設けられた当たり受け部３３ｃに、扉開放時に前記当たり部４６ａが当たって、扉はそれ以上開かないようになっている。
【００７０】
さらに、４７はローラー組品で冷蔵室扉２の閉止時に図６の前記ヒンジアングル３３上面に乗り上げ、冷蔵室扉２の荷重を支え、本体開口部前面３１への密閉状態を良好に保つ役目をするとともに、扉開閉動作を補助する役目をしている。また、前記スライドカム２２、ストッパー４６、ローラー組品４７はドアキャップ下１０を介して補強板２３にビス止めされている。
【００７１】
また、図９の（ｂ）ではストッパー４６、ローラー組品４７およびドアプレート８の図は複雑になるため省略している。
【００７２】
図１０において、（ａ）〜（ｃ）は冷蔵室扉２の下側の扉右側を開くときの図６のロックカム部３６と図９のスライドカム２２の相対位置関係を示した図であり、（ａ）は冷蔵室扉２の閉止状態の図で、ロックカム部３６とスライドカム２２からなるカム機構は第１係止位置をとっている。
【００７３】
この時、左右のスライドカム２２に設けられた第１溝カム４１は、各々扉の斜め内側の向きとなるよう形成されており、各々がヒンジピン３４に規制されるので、使用者が扉やハンドル７の握り部７ｄを左右両側から同時に手前に引いても、扉が本体から脱落することはない。
【００７４】
また、（ｂ）は、図４に示した扉右側のハンドル７の握り部７ｄを握って手前に少し引いて、扉が右側から開き始めた状態を示している。
【００７５】
この時、握り部７ｄを手前に少し引くと、回動中心１９ｃを中心にカムレバー２１が右回転して、カムレバー２１の押し面２１ｂがロック外カム３２の前方先端右側を後方へ押す。そのため、その反動で、右側のスライドカム２２にある第１溝カム４１の右壁面が、右側のロックカム部３６のヒンジピン３４に当たりながら斜め前方へ移動し、冷蔵室扉２の右側は斜め右前方へ移動する。
【００７６】
そして同時に、左側のスライドカム２２にある第２溝カム４２の奥の壁面４２ａが、左側のロックカム部３６のヒンジピン３４に当たりながら斜め横後方へ移動し、冷蔵室扉２の左側は斜め右後方へ移動する。
【００７７】
（ｃ）は、図４に示した握り部７ｄをさらに手前に引いて、扉が右側からさらに開いた状態を示している。このとき、右側のカムレバー２１がさらにロック外カム３２の前方先端右側を後方へ押し、扉右側におけるスライド外カム４３の摺動面４３ａが、ロック外カム３２の摺動面３２ａと摺動することになる。
【００７８】
そして、右側のヒンジピン３４に案内された第１溝カム４１が扉を斜め右前方へさらに移動させ、また、扉の左側は左側第２溝カム４２の奥の壁面４２ａが、左側のロックカム部３６のヒンジピン３４に当たりながら斜め横後方へさらに移動し、冷蔵室扉２の左側は斜め右後方へさらに移動する。
【００７９】
なお、このとき、図４における当たり部７ｅは、握り部７ｄをさらに手前に引いたため、ハンドルベース１５の当たり受け部１５ｃに当たり、前記握り部７ｄをこれ以上さらに手前に引いても、カムレバー２１はこれ以上ロック外カム３２を押すことはなく、この後ハンドル７は通常の取っ手の働きとなる。
【００８０】
そして、扉右側のロック外カム３２前方を押す前記カムレバー２１の押し面２１ｂは、ロック外カム３２の前方を押している間のほとんどを、冷蔵室扉２の中央側に行くほど前方の位置となるようになっている。そのため、前記ロック外カム３２の前方を斜め右側前方から押すようになり、その反力として右側の冷蔵室扉２を右側前方へ移動させるような力が働く。
【００８１】
これは、前記ロック外カム３２の前方を、扉の開放方向と近い反対の方向に押していることになる。そして、冷蔵室扉２を右側前方へ移動させる前記のような力は、右側のスライドカム２２にある第１溝カム４１が、右側のヒンジピン３４の外周に沿って移動しやすくする。
【００８２】
また、前記押し面２１ｂの動きにより、扉左側のスライドカム２２も同時に扉の右方向へ引かれるため、左側第２溝カム４２は左側ヒンジピン３４の外周に沿って移動しやすくなり、左側のスライドカム２２は第２係止位置をとりやすくなる。
【００８３】
それゆえ、前記カムレバー２１の押し面２１ｂによる移動動作力の一部の分力が冷蔵室扉２を第２係止位置へ移動させるように働くことになり、扉開放時の扉の移動が容易で、扉が確実に移動するようになり、扉開放操作の良好な扉開閉機構が得られる。
【００８４】
また、前記（ａ）〜（ｃ）の扉の作動時、左側のカムレバー２１の押し面２１ｂは左側のロック外カム３２に接する程度であり、左側のスライドカム２２の動きを阻害しない形状にもなっている。前記の左側の押し面２１ｂとロック外カム３２との関係は、扉開閉時で左側の押し面２１ｂが左側のロック外カム３２に近づいている間中保たれる。なお、この時左側の押し面２１ｂとロック外カム３２の間は少し隙間をもたしておくと、左側のスライドカム２２の移動時に、前記押し面２１ｂとロック外カム３２のこすれによる異常音の出る恐れがなくなる。
【００８５】
図１１において、（ａ）〜（ｃ）は冷蔵室扉２の下側で扉の右側を図１０よりさらに開くときのロックカム部３６とスライドカム２２の相対位置の関係を示した図であり、（ａ）は図１０の（ｃ）で図４に示した握り部７ｄをもってさらに扉を手前に引いて、扉の右側がさらに開いた状態を示している。このとき、扉左側において第２溝カム４２の円形部４２ｂがヒンジピン３４と接する位置になり、左側のスライドカム２２は第２係止位置となる。
【００８６】
そして、左側の第１カム突起４４が第２カム突起３５と係合を開始し、第１カム突起４４が摺動案内される。また、扉右側では、スライド外カム４３の摺動面４３ｂが、ロック外カム３２の摺動面３２ｂと左側のヒンジピン３４を回転軸とする円弧上を摺動する。
【００８７】
そのため、左側のスライドカム２２が左側のヒンジピン３４からはずれないようにロックされ、扉が本体から脱落するのを防止し、扉の開閉を確実に行えるようにすることができる。
【００８８】
さらに、扉が回転すると、左側のヒンジピン３４を回転軸として、右側第１溝カム４１の奥部４１ａの右側がヒンジピン３４に接しながら移動し、その後、右側のヒンジピン３４と第１溝カム４１との係合が解除される。
【００８９】
また、この右側第１溝カム４１の奥部４１ａのヒンジピン３４との係合は、スライド外カム４３やロック外カム３２が欠損したときや左側の第１カム突起４４が第２カム突起３５と係合するときの補助をすることになる。
【００９０】
そして、図１１の（ｂ）に示すように、扉を握り部７ｄをもって右側からさらに開くと、右側各々のカム機構のロック外カム３２とスライド外カム４３との係合が解除され、右側のロックカム部３６とスライドカム２２との係合が解除される。
【００９１】
また、扉の左側では、ヒンジピン３４の軸中心を中心として、スライド外カム４３の摺動面４３ｃとロック外カム３２の摺動面３２ｃとが摺動し、スライド外カム４３がロック外カム３２に摺動案内される。
【００９２】
その後は、図１１の（ｃ）に示すように、左側の第１カム突起４４と第２カム突起３５との係合のみにより、左側のスライドカム２２がロックカム部３６に案内され、左側のヒンジピン３４の軸中心を回転中心として扉が開かれる。
【００９３】
なお、図１０、図１１は図４に示した扉右側のハンドル７の握り部７ｄを握って手前に引き、扉の右側を開くときの冷蔵室扉２のスライドカム２２とロックカム部３６の関係を示したものであるが、冷蔵室扉２の上方のロックカム３７とスライドカム４０との関係も同様である。
【００９４】
また、前記図１１の（ｃ）に示した状態から、開いた扉の右側を閉じる場合は、扉の前面の右端近くを手で押すとよく、スライドカム２２やロックカム部３６の各部の関係は前記図１０および図１１と同様となり、ハンドル７の握り部７ｄを握って手前には引いていないため、カムレバー２１のみはバネ２５の反力で図１０の（ａ）の状態になっている。
【００９５】
また、扉の左側を開ける場合は、前記図１０および図１１の図を左右方向で反転させた関係となる。
【００９６】
図１２において、本図は他の実施例を示すもので、図１における冷蔵室扉２右側の扉閉止状態でのドアキャップ下１０付近のＢ−Ｂ線断面図である図５に相当する図である。なお、左側のドアキャップ下１０付近における相当断面図は、本図を左右方向で反転したものとなる。
【００９７】
そして、前記下シャフト１９に相当する下シャフト４８の下方のＬ状曲げ部４８ｂへは、下方からスライドカム部であるスライドカム４９に組み込まれたアームとなるカムレバー５０が囲むように取り付けられている。なお、前記スライドカム４９およびカムレバー５０は、前記下シャフト４８の回動軸中心４８ｃが前記ロック外カム３２の前端より後方に位置することのみ異なり、その他は同様の構造となっている。
【００９８】
また、ロック外カム３２の前方を押す前記カムレバー５０の押し面５０ｂは、前記ロック外カム３２の前方を押している間のほとんどを、前記下シャフト４８のてこの支点となる回動軸中心４８ｃが前記ロック外カム３２の前端より後方に位置するようになっているため、前記ロック外カム３２の前方を斜め右側（扉の側面側）前方から押すようになっており、その反力として冷蔵室扉２を右側（扉の側面側）前方へ移動させるような力が働くことになる。
【００９９】
そのため、てこのアームである前記カムレバー５０による移動動作力の一部の分力が、扉を第２係止位置へ移動させるように働くため、扉開放時の扉の移動が容易で扉が確実に移動するようになり、扉開放操作の良好な扉開閉機構が得られる。
【０１００】
なお、前記で断熱材２ａは発泡ウレタンを用いているが、他の発泡断熱材でもよく、また、ガラスウール等の断熱材であってもよい。また、前記は、てこのアームであるカムレバーが扉の下方にのみある場合であるが、扉の上方の前記相当位置にもカムレバーを設け対応すると、扉の作動はさらに良くなることは明白である。
【０１０１】
そして、前記は冷蔵庫の左右両開きの扉についての説明であるが、他の扉であっても同様の効果が得られ、また、扉の開きが上下方向でもよく、また、扉が上面や下面にあっても類似の効果が得られる。
【０１０２】
なお、前記で左右方向とは、冷蔵庫を正面から見て左右の方向を意味し、前後方向とは、冷蔵庫を正面から見て前後の方向を意味する。また、本図において、板厚などの薄い断面を示す部分に対するハッチングは省略している。
【図面の簡単な説明】
【０１０３】
【図１】本発明の扉開閉機構を備えた冷蔵庫の正面図である。
【図２】図１のてこ式手段によるハンドル付近の拡大図である。
【図３】図２のハンドルサポートおよびハンドルベースを下方から見た図である。
【図４】図１のＡ−Ａ線断面図である。
【図５】図１のＢ−Ｂ線断面図である。
【図６】本発明の扉開閉機構で扉の下側にあるヒンジアングルを示す図である。
【図７】本発明の扉開閉機構で扉の上側にあるロックカムを示す図である。
【図８】本発明の扉開閉機構で扉の上側にあるスライドカムを示す図である。
【図９】本発明の扉開閉機構のスライドカム付近で扉の下側の一部を示す部分拡大図である。
【図１０】本発明の扉開閉機構の動作を示す図である。
【図１１】本発明の扉開閉機構の動作を示す図である。
【図１２】本発明の扉開閉機構の他の実施例を示す図で、図１のＢ−Ｂ線断面図に相当する図である。
【符号の説明】
【０１０４】
２    冷蔵室扉（扉）
７ｄ  握り部（てこの力点）
１９ｃ  回動軸中心（てこの支点）
２１    カムレバー（アーム）
２２    スライドカム（スライドカム部）
３６    ロックカム部
３７    ロックカム（ロックカム部）
４０    スライドカム（スライドカム部）
４８ｃ  回動軸中心（てこの支点）
４９    スライドカム（スライドカム部）
５０    カムレバー（アーム）
【図１】
0003689816.tif 000002
【図２】
0003689816.tif 000003
【図３】
0003689816.tif 000004
【図４】
0003689816.tif 000005
【図５】
0003689816.tif 000006
【図６】
0003689816.tif 000007
【図７】
0003689816.tif 000008
【図８】
0003689816.tif 000009
【図９】
0003689816.tif 000010
【図１０】
0003689816.tif 000011
【図１１】
0003689816.tif 000012
【図１２】
0003689816.tif 000013